(57)【要約】【課題】従来の棺化粧カバーは布製であるため、簡易である反面重厚感という点においては十分とは言えない。【解決手段】板材５、７を板材９に対し直角になるように開き、板材９を棺Ｋの背面Ｋｃに、板材５、７を側面Ｋａ、Ｋｂに、それぞれ当接させる。そして、板材１７を棺Ｋの前面Ｋｄに当接させ、鉄製プレート２１をマグネット１３に吸着させて、側面カバー部材３と側面カバー部材１５とを連結する。このとき板材５、７の前端部が溝１９に入り込む。次いで、上面カバー部材２３を側面カバー部材３、１５の上端部に設置して、棺Ｋの開口が形成された上面Ｋｅを覆う。遺体を収納した棺Ｋを棺化粧カバー１によって覆い、祭壇の前側に設置する。板材５、７、９、１７、２５、板材２５の開閉扉２６及び台３３は、いずれも全面に黒色の鏡面様の光沢のある塗装が施されているので、看者に重厚で豪華が印象を与えることになる。【選択図】        図１
2010207319.tif 000002
【特許請求の範囲】
【請求項１】
棺の側面を覆う側面カバー部材と、棺の上面を覆う上面カバー部材とを備えた棺化粧カバーにおいて、前記側面カバー部材と上面カバー部材は塗装等の化粧が施された板材によって構成されていることを特徴とする棺化粧カバー。
【請求項２】
請求項１に記載した棺化粧カバーにおいて、側面カバー部材と上面カバー部材は塗装が施された木製の板材によって構成されていることを特徴とする棺化粧カバー。
【請求項３】
請求項１または２に記載した棺化粧カバーにおいて、側面カバー部材と上面カバー部材とは分離可能であることを特徴とする棺化粧カバー。
【請求項４】
請求項１から３のいずれかに記載した棺化粧カバーにおいて、側面カバー部材とは複数の構成部材に分離可能であり、且つ前記構成部材どうしを連結する連結手段を備えたことを特徴とする棺化粧カバー。
【請求項５】
請求項４に記載した棺化粧カバーにおいて、連結手段は連結される構成部材の一方に取り付けられたマグネット、他方に取り付けられた磁性体から成ることを特徴とする棺化粧カバー。
【発明の詳細な説明】
【技術分野】
【０００１】
本発明は棺化粧カバーに係り、特に化粧が施された板材によって構成された棺化粧カバーに関するものである。
【背景技術】
【０００２】
特許文献１に記載された棺化粧カバーは布によって構成されている。
【先行技術文献】
【特許文献】
【０００３】
【特許文献１】特開平８−８０３２４号公報
【発明の概要】
【発明が解決しようとする課題】
【０００４】
しかしながら、上記従来の棺化粧カバーは布製であるため、簡易である反面、重厚感や豪華さに欠けるものとなっている。
【課題を解決するための手段】
【０００５】
本発明は上記課題を解決するためになされたものであり、請求項１の発明は、  棺の側面を覆う側面カバー部材と、棺の上面を覆う上面カバー部材とを備えた棺化粧カバーにおいて、前記側面カバー部材と上面カバー部材は塗装等の化粧が施された板材によって構成されていることを特徴とする棺化粧カバーである。
【０００６】
請求項２の発明は、請求項１に記載した棺化粧カバーにおいて、側面カバー部材と上面カバー部材は塗装が施された木製の板材によって構成されていることを特徴とする棺化粧カバーである。
【０００７】
請求項３の発明は、請求項１または２に記載した棺化粧カバーにおいて、側面カバー部材と上面カバー部材とは分離可能であることを特徴とする棺化粧カバーである。
【０００８】
請求項４の発明は、請求項１から３のいずれかに記載した棺化粧カバーにおいて、側面カバー部材とは複数の構成部材に分離可能であり、且つ前記構成部材どうしを連結する連結手段を備えたことを特徴とする棺化粧カバーである。
【０００９】
請求項５の発明は、請求項４に記載した棺化粧カバーにおいて、連結手段は連結される構成部材の一方に取り付けられたマグネット、他方に取り付けられた磁性体から成ることを特徴とする棺化粧カバーである。
【発明の効果】
【００１０】
本発明の棺化粧カバーでは、十分な重厚感を発揮することができる。
また、迅速に着脱することが可能であり、葬儀における短時間内の着脱作業の要請に十分に応えることが可能である。例えば、告別式の喪主の挨拶終了後、棺に花等を入れる前の非常に短い間でも、棺Ｋから棺化粧カバー１を容易に外すことができる。
【図面の簡単な説明】
【００１１】
【図１】本発明の実施の形態に係る棺化粧カバーが装着される棺と棺化粧カバーを分解した状態の斜視図である。
【図２】図１の棺化粧カバーを棺に装着した状態の斜視図である。
【図３】図１の棺化粧カバーを分解して折り畳んで台車に載せた状態の斜視図である。
【発明を実施するための形態】
【００１２】
本発明の実施の形態に係る棺化粧カバー１を図面にしたがって説明する。
符号３は棺Ｋの左右の側面Ｋａ、Ｋｂと背面Ｋｃを覆う側面カバー部材を示す。この側面カバー部材３は三枚の木製の板材５、７、９が蝶番１１によって開閉自在に連結され構成されている。
板材５、７の外側面の先端部には上下に配置された一対のマグネット１３が取り付けられている。
【００１３】
符号１５は棺Ｋの前面Ｋｄを覆う側面カバー部材を示し、この側面カバー部材１５は一枚の木製の板材１７によって構成されている。板材１７は、その両端部が棺Ｋの前面Ｋｄの左右両端部から僅かに突出する長さ寸法に構成されている。板材１７の左右の両端部分には溝１９が形成されており、溝１９は板材５、７の前端部が嵌る寸法に設定されている。
板材１７の背面の溝１９より外側の両端部には、一対の小片状の磁性体としての鉄製プレート２１が取り付けられている。鉄製プレート２１は板材５、７に取り付けられた一対のマグネット１３にそれぞれに対応するように上下に配置されている。
上記マグネット１３と鉄製プレート２１によって連結手段が構成されている。
【００１４】
符号２３は棺Ｋの上面Ｋｅを覆う上面カバー部材を示し、この上面カバー部材２３は一枚の木製の板材２５によって構成されており、矩形の開口２７が形成されている。この開口２７は透明プラスチック板２９によって閉鎖されている。透明プラスチック板２９の両端部は、板材２５の裏面に設けられた図示しない溝にスライド自在に支持されており、開口２７を閉鎖する状態と開放する状態とに動作することができる。
また、板材２５の上面には開口２７を閉鎖する状態と開放する状態とに動作する開閉扉２６が備えられている。
【００１５】
符号３３は棺Ｋを載置する台を示し、木製の角材を組んで構成されている。
板材５、７、９、１７、２５、板材２５の開閉扉２６及び台３３は、いずれも全面に黒色の鏡面様の光沢のある塗装が施されている。
【００１６】
図３に分解した棺化粧カバー１を載せる台車３５を示す。この台車３５の構成について説明する。
符号３７は載置部を示し、載置部３７は矩形の板状で、その下面四隅にはキャスタ３８が取り付けられている。また載置部３７には３つの立て掛け部３９、４１、４３が設けられ、これらのうちで最も高さ寸法の大きい立て掛け部４３はハンドルを兼ねている。
【００１７】
次に、この棺化粧カバー１の使用方法について説明する。
棺化粧カバー１を棺Ｋに装着する場合は、図１に示すように側面カバー部材３の板材５、７を板材９に対し直角になるように開き、板材９を棺Ｋの背面Ｋｃに、板材５、７を側面Ｋａ、Ｋｂに、それぞれ当接させる。
そして、板材１７を棺Ｋの前面Ｋｄに当接させ、鉄製プレート２１をマグネット１３に吸着させて、側面カバー部材３と側面カバー部材１５とを連結する。このとき板材５、７の前端部が溝１９に入り込む。
次いで、上面カバー部材２３を側面カバー部材３、１５の上端部に設置して、棺Ｋの開口が形成された上面Ｋｅを覆う。
【００１８】
上記のようにして遺体を収納した棺Ｋを棺化粧カバー１によって覆い、例えば図２に示すように祭壇Ｓの前側に設置する。上記したように板材５、７、９、１７、２５、板材２５の開閉扉２６及び台３３は、いずれも全面に黒色の鏡面様の光沢のある塗装が施されているので、看者に重厚で豪華が印象を与えることになる。
また、開閉扉２６を開けば透明プラスチック板２９越しに遺体の顔を見ることができる。更に、透明プラスチック板２９をスライドさせて開口２７を開放すれば、親族等が遺体の顔に触れることも可能である。
【００１９】
また、出棺の際等に棺化粧カバー１を棺Ｋから外す場合は、まず上面カバー部材２３を除き、次いで側面カバー部材３を手前に引っ張り、マグネット１３と鉄製プレート２１に対する吸着を解除して、側面カバー部材１５から外す。そして、棺Ｋの蓋を取り付ける。
このように側面カバー部材３、１５及び上面カバー２３は分離可能であり、極めて簡単に短時間で、棺化粧カバー１を棺Ｋから外すことができる。従って、例えば、喪主の挨拶終了後、棺に花等を入れる前までの間の短い時間でも、棺Ｋから棺化粧カバー１を容易に外すことができる。
棺Ｋから外した棺化粧カバー１は、図３に示すように台車３５に載せる。この際、側面カバー部材３は板材５、７を板材９に重ね合わせるように折り畳むので、コンパクトな状態に収納することができる。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、板材５、７、９、１７、２５、板材２５の開閉扉２６及び台３３は、いずれも全面に黒色の鏡面様の光沢のある塗装を施したが、本発明はこれに限定されず、黒色に金色等の線を入れたり、黒色以外の塗装を施したりしてもよい。
また、上記実施の形態では、マグネット１３と鉄製プレート２１によって連結手段を構成したが、本発明はこれに限定されず、係合金具等によって連結手段を構成してもよい。
【産業上の利用可能性】
【００２１】
本発明は、棺化粧カバーの製造、販売、さらに葬儀業の産業に利用可能である。
【符号の説明】
【００２２】
１…棺化粧カバー      ３…側面カバー部材      ５、７、９…板材
１１…蝶番      １３…マグネット      １５…側面カバー部材
１７…板材      １９…溝      ２１…鉄製プレート
２３…上面カバー部材      ２５…板材      開閉扉…２６
２７…開口      ２９…透明プラスチック板      ３３…台
３５…台車      ３７…載置部      ３８…キャスタ
３９、４１、４３…立て掛け部
Ｋ…棺      Ｋａ、Ｋｂ…棺の側面      Ｋｃ…棺の背面
Ｋｄ…棺の前面      Ｋｅ…棺の上面      Ｓ…祭壇
【図１】
2010207319.tif 000003
【図２】
2010207319.tif 000004
【図３】
2010207319.tif 000005